(57)【要約】【課題】沈降分離性能の低下を抑制することができる流入部ユニットおよび沈殿槽を提供することである。【解決手段】実施形態の流入部ユニットは、流入管と、収容部と、を持つ。流入管は、沈殿槽の掻寄板を回転させる回転シャフトの周囲に配置される。収容部は、前記流入管の上方に配置され、前記流入管の内側に流入する被処理水を収容可能である。前記収容部は、前記流入管の径方向における前記収容部の内側に内周壁を有する。前記内周壁は、少なくとも一部が前記沈殿槽の溢流堰の上端より下方に配置される内周壁開口を有する。【選択図】図２
2020182906.tif 000002
【特許請求の範囲】
【請求項１】
沈殿槽の掻寄板を回転させる回転シャフトの周囲に配置される流入管と、
前記流入管の上方に配置され、前記流入管の内側に流入する被処理水を収容可能な収容部と、を有し、
前記収容部は、前記流入管の径方向における前記収容部の内側に内周壁を有し、
前記内周壁は、少なくとも一部が前記沈殿槽の溢流堰の上端より下方に配置される内周壁開口を有する、
流入部ユニット。
【請求項２】
前記内周壁開口は、前記内周壁の上端から前記収容部の底壁まで形成される、
請求項１に記載の流入部ユニット。
【請求項３】
前記内周壁開口は、前記流入管の周方向において複数の位置に形成される、
請求項１または２に記載の流入部ユニット。
【請求項４】
前記収容部への被処理水の供給口を形成する被処理水供給部を有し、
前記内周壁は、前記供給口に対向して配置される供給口内周壁を含み、
前記供給口内周壁は、前記周方向における幅が、他の前記内周壁より大きい、
請求項３に記載の流入部ユニット。
【請求項５】
前記内周壁開口は、前記供給口内周壁の前記周方向の両側に配置される供給口内周壁開口を含み、
前記供給口内周壁開口は、前記周方向における幅が、他の前記内周壁開口より小さい、
請求項４に記載の流入部ユニット。
【請求項６】
前記内周壁は、前記内周壁開口の位置および形状のうち少なくとも一つを変更可能である、
請求項１から５のいずれか１項に記載の流入部ユニット。
【請求項７】
前記内周壁は、前記径方向に並んで配置され、相互に独立して前記流入管の周方向に移動可能な第１内周壁および第２内周壁を有し、
前記内周壁開口は、前記第１内周壁に形成される第１内周壁開口および前記第２内周壁に形成される第２内周壁開口により形成される、
請求項６に記載の流入部ユニット。
【請求項８】
前記収容部は、前記径方向の外側に外周壁を有し、
前記収容部は、前記径方向において前記外周壁と前記内周壁との間に中間壁を有し、
前記中間壁は、少なくとも一部が前記溢流堰の上端より下方に配置される中間壁開口を有する、
請求項１から７のいずれか１項に記載の流入部ユニット。
【請求項９】
前記中間壁は、前記中間壁開口の位置および形状のうち少なくとも一つを変更可能である、
請求項８に記載の流入部ユニット。
【請求項１０】
前記内周壁は、前記径方向において前記流入管より内側に配置される、
請求項１から９のいずれか１項に記載の流入部ユニット。
【請求項１１】
前記収容部の底壁は、前記流入管の内側に開口する底壁開口を有する、
請求項１０に記載の流入部ユニット。
【請求項１２】
前記底壁は、前記底壁開口の位置および形状のうち少なくとも一つを変更可能である、
請求項１１に記載の流入部ユニット。
【請求項１３】
槽体と、
請求項１から１２のいずれか１項に記載の流入部ユニットと、を有する、
沈殿槽。
【発明の詳細な説明】
【技術分野】
【０００１】
本発明の実施形態は、流入部ユニットおよび沈殿槽に関する。
【背景技術】
【０００２】
工業廃水などに含まれる浮遊物質等を沈降分離させる沈殿槽が知られている。沈殿槽には、沈降分離性能の低下を抑制することが望まれている。
【先行技術文献】
【特許文献】
【０００３】
【特許文献１】特開２０１７−９４２２１号公報
【特許文献２】特開平９−２３４４６５号公報
【特許文献３】特開２０１７−８７１９６号公報
【発明の概要】
【発明が解決しようとする課題】
【０００４】
本発明が解決しようとする課題は、沈降分離性能の低下を抑制することができる流入部ユニットおよび沈殿槽を提供することである。
【課題を解決するための手段】
【０００５】
実施形態の流入部ユニットは、流入管と、収容部と、を持つ。流入管は、沈殿槽の掻寄板を回転させる回転シャフトの周囲に配置される。収容部は、前記流入管の上方に配置され、前記流入管の内側に流入する被処理水を収容可能である。前記収容部は、前記流入管の径方向における前記収容部の内側に内周壁を有する。前記内周壁は、少なくとも一部が前記沈殿槽の溢流堰の上端より下方に配置される内周壁開口を有する。
【図面の簡単な説明】
【０００６】
【図１】第１の実施形態の沈殿槽の側面断面図。
【図２】第１の実施形態の流入部ユニットの平面断面図。
【図３】図２のＩＩＩ矢視図。
【図４】図２のＩＶ矢視図。
【図５】図２のＶ矢視図。
【図６】図２のＶＩ−ＶＩ線における側面断面図。
【図７】図６のＶＩＩ矢視図。
【図８】第１の実施形態の第１変形例の流入部ユニットの説明図。
【図９】第１の実施形態の第２変形例の流入部ユニットの説明図。
【図１０】第２の実施形態の流入部ユニットの平面断面図。
【図１１】図１０のＸＩ−ＸＩ線における側面断面図。
【図１２】第３の実施形態の沈殿槽の側面断面図。
【図１３】図１２のＸＩＩＩ部の拡大図。
【図１４】第３の実施形態の流入部ユニットの平面断面図。
【図１５】第３の実施形態の第１変形例の沈殿槽の側面断面図。
【図１６】第３の実施形態の第２変形例の流入部ユニットの平面断面図。
【図１７】第３の実施形態の第２変形例の流入部ユニットの動作説明図。
【図１８】第３の実施形態の第３変形例の流入部ユニットの平面断面図。
【発明を実施するための形態】
【０００７】
以下、実施形態の流入部ユニットおよび沈殿槽を、図面を参照して説明する。なお以下の説明では、同一または類似の機能を有する構成に同一の符号を付す。そして、それら構成の重複する説明は省略する場合がある。
【０００８】
図１は、本実施形態の沈殿槽１の全体構成を示す側面断面図である。
本願において、極座標系のＺ方向、Ｒ方向およびθ方向が以下のように定義される。Ｚ方向は、流入管１９および分配部１８の軸方向である。例えば、Ｚ方向は鉛直方向であり、＋Ｚ方向（第１方向）は上方向である。Ｒ方向は流入管１９および分配部１８の径方向であり、＋Ｒ方向は中心軸から離れる方向（外側の方向）である。θ方向は流入管１９および分配部１８の周方向であり、＋θ方向は回転シャフト４１の回転方向である。例えば、Ｒ方向およびθ方向は水平方向である。
【０００９】
（第１の実施形態）
第１の実施形態について説明する。
本実施形態の沈殿槽１は、例えば、工業廃水などの被処理水に含まれる微小のＳＳ（懸濁物質または浮遊物質）を被処理水から分離させる沈殿槽であり、例えば沈降分離法が用いられる沈殿槽である。
【００１０】
まず、沈殿槽１の全体構成について、図１を用いて説明する。
図１に示されるように、沈殿槽１は、槽体１１、流入部ユニット１２、溢流堰１３、被処理水排出部１４、掻寄ユニット１５、および汚泥引抜管１６を有する。なお各図では、被処理水の流れを矢印で模式的に示す。
【００１１】
槽体１１は、円筒状または多角筒状などの有底の筒状に形成された容器である。槽体１１は、例えば、底壁３１と、底壁３１の周縁部から上方に向けて起立した周壁３２と、を含む。槽体１１は、筒状の周壁３２の上端部に上部開口部３３を有する。槽体１１は、内部に被処理水を貯留するとともに、フロックを沈殿させる。なお「フロック」とは、凝集作用などによって生成された塊状物を意味し、例えば浮遊物質を含む被処理水中に凝集剤などが添加されることで生じる綿くず状の塊状物を意味する。槽体１１は、例えば槽体１１の中心軸１１ｃを鉛直方向と略一致させて設置されている。また、槽体１１の底壁３１の中央部には、沈殿物を槽体１１の外部に排出する排出口３１ａが設けられている。排出口３１ａには、汚泥引抜管１６が接続されている。
【００１２】
沈殿槽１の上流側には、被処理水を前処理するための凝集槽（図示略）が配置されている。凝集槽において、凝集剤が被処理水に投入される。これにより、被処理水中の特定の成分が凝集して、フロックが生成される。すなわち、被処理水はフロックを含んだ状態で沈殿槽１内に流入する。
【００１３】
流入部ユニット１２は、例えば被処理水供給部１７と、分配部（収容部）１８と、流入管１９と、を有する。流入部ユニット１２は、槽体１１の内側（すなわち、沈殿槽１の内側）に配置される。流入部ユニット１２は、凝集槽から被処理水供給部１７を通じて供給された被処理水を、分配部１８および流入管１９を介して槽体１１内に流入させる。
【００１４】
被処理水供給部１７は、例えば槽体１１の外側から槽体１１の内側に延びた供給配管または流入トラフなどである。本願で言う「トラフ」とは、溝を形成する構造体を意味する。被処理水供給部１７は、被処理水を連続的に槽体１１の内側に供給する。被処理水供給部１７は、後述の分配部１８に接続されて、分配部１８への被処理水の供給口１７ａを形成している。供給口１７ａは、分配部１８の外周壁１８ａの内側面上に、分配部１８の中心軸１８ｃを向いて形成される。被処理水は、供給口１７ａから分配部１８の中心軸１８ｃに向かって流入する。
【００１５】
分配部１８は、「分散トラフ」または「流入プール」とも称される。分配部１８は、径方向の内側に円筒形の内周壁２０を有する。分配部１８は、径方向の外側に円筒形の外周壁１８ａを有する。分配部１８は、軸方向の下側に円環状の底壁１８ｂを有する。分配部１８は、内周壁２０、外周壁１８ａおよび底壁１８ｂによって円筒形に形成された所定の容積を有するトラフである。なお、分配部１８は、円筒形とは異なった形状、例えば多角筒形とすることも可能である。分配部１８は、槽体１１の内側に配置される。分配部１８の中心軸１８ｃは、槽体１１の中心軸１１ｃと略一致している。分配部１８の大きさは、被処理水の必要処理量や槽体１１の大きさに応じて、適宜設定可能である。
【００１６】
流入管１９は、「センターウェル」または「フィードウェル」とも称され、例えば円筒状または多角筒状などの筒状に形成されている。流入管１９は、分配部１８の下方に配置される。すなわち分配部１８は、流入管１９の上方に配置される。流入管１９は、径方向において分配部１８の内周壁２０と略同じ位置に配置される。すなわち、分配部１８の大部分は、流入管１９の径方向の外側に配置される。分配部１８は、流入管１９に流入する被処理水を収容可能である。図１に示されるように、流入管１９の中心軸１９ｃは、分配部１８の中心軸１８ｃおよび槽体１１の中心軸１１ｃと略一致している。流入管１９の大きさは、被処理水の必要処理量や槽体１１の大きさに応じて、適宜設定可能である。
【００１７】
流入管１９の下端１９ａは、槽体１１の底壁３１から離れている。すなわち、流入管１９の下端１９ａと槽体１１の底壁３１との間には、被処理水が水平方向に分散して流れる流路が形成されている。また、流入管１９の下端１９ａは、流入管１９の内部を槽体１１内に連通させる開口部（流入口）１９ｂを有する。被処理水供給部１７から分配部１８を介して流入管１９内に供給された被処理水は、流入管１９内を下方に向けて流れ、流入管１９の下端１９ａの開口部１９ｂから槽体１１内に供給される。流入管１９から槽体１１内に供給された被処理水は、槽体１１の周壁３２の内壁面と流入管１９の外周面との間をゆっくりと上昇する。例えばこの過程で、フロックの一部が被処理水から分離して沈殿する。
【００１８】
溢流堰１３は、槽体１１の上部に設けられている。溢流堰１３は、この溢流堰１３の上端１３ｔから溢れた被処理水を収容できるように、槽体１１内に溝状に設けられている。例えば、溢流堰１３は、槽体１１の周壁３２の内壁面３２ａに沿って設けられている。溢流堰１３は、フロックの分離除去が行われて清浄化された被処理水を被処理水排出部１４に流出させる。
沈殿槽１の内部における被処理水の水位ＷＬは、溢流堰１３の上端１３ｔに一致する。分配部１８の内周壁２０および外周壁１８ａの上端は、溢流堰１３の上端１３ｔより上方に配置される。分配部１８の底壁１８ｂは、溢流堰１３の上端１３ｔより下方に配置される。
【００１９】
被処理水排出部１４は、例えば溢流堰１３の内部に連通するとともに槽体１１の外側に伸びた流出トラフ（または排出配管など）である。被処理水排出部１４は、溢流堰１３の上端１３ｔから溢れた被処理水を槽体１１の外部に流出させる。槽体１１の外部に流出した被処理水は、例えばさらに別の処理が行われて、ユースポイントに送出される。
【００２０】
掻寄ユニット１５は、回転シャフト４１と、駆動モータ４２と、支持部材４３と、複数の掻寄板４４と、を有する。回転シャフト４１は、槽体１１の中心部（流入管１９の中心部）に配置されている。回転シャフト４１は、流入管１９の中心軸１９ｃの軸方向において、流入管１９を貫通している。すなわち流入管１９は、回転シャフト４１の周囲に配置される。なお「流入管の中心軸の軸方向」とは、流入管１９の中心軸１９ｃと略平行な方向である。駆動モータ４２は、直接または伝達機構などを介して回転シャフト４１に接続され、回転シャフト４１を回転させる。支持部材４３は、回転シャフト４１の下端に連結されて径方向に伸びている。複数の掻寄板４４は、支持部材４３に取り付けられている。
すなわち、回転シャフト４１は沈殿槽１の掻寄板４４を回転させる。複数の掻寄板４４は、支持部材４３から槽体１１の底壁３１に向けて設けられている。このような構成の掻寄ユニット１５によれば、駆動モータ４２によって回転シャフト４１が回転されることで、支持部材４３および複数の掻寄板４４が回転する。これにより、槽体１１の底壁３１に沈殿した沈殿物が底壁３１の中央部に向けて掻寄せられる。掻寄せられた沈殿物は、底壁３１の中央部に設けられた排出口３１ａおよび汚泥引抜管１６を通じて槽体１１の外部に排出される。
【００２１】
分配部１８の内周壁２０について詳しく説明する。
図２は、第１の実施形態の流入部ユニットの平面断面図である。図２は、図１のＩＩ−ＩＩ線における断面図である。図２に示されるように、分配部１８の内周壁２０は、スリット（内周壁開口）６０を有する。スリット６０は、内周壁２０をＲ方向に貫通する。
【００２２】
図５は、図２のＶ矢視図である。スリット６０のθ方向の幅（角度）は、Ｚ方向に沿って一定に形成される。スリット６０のθ方向の幅（角度）は、Ｚ方向に沿って変化してもよい。スリット６０の少なくとも一部（下端部）は、溢流堰１３の上端１３ｔより下方に配置される。前述されたように、沈殿槽１における被処理水の水位ＷＬは、溢流堰１３の上端１３ｔに一致する。スリット６０の下端部は、沈殿槽１における被処理水の水位ＷＬより下方に配置される。分配部１８に流入した被処理水は、スリット６０を通って沈殿槽１に流出する。分配部１８における被処理水の水位ＷＬは、沈殿槽１における被処理水の水位ＷＬと同等になる。スリット６０は、Ｚ方向において内周壁２０の上端から分配部１８の底壁１８ｂまで形成される。後述されるように、スリット６０は、Ｚ方向において内周壁２０の一部のみに形成されてもよい。
【００２３】
前述されたように、沈殿槽１の上流側の凝集槽でフロックが生成される。被処理水は、フロックを含んだ状態で沈殿槽１に流入する。本実施形態とは異なる沈殿槽では、被処理水が内周壁２０の上端部を乗り越えて流入管１９に流入する。この場合、一部の重いフロックは、流入管１９の上端部を乗り越えることができずに、分配部１８に滞留する。滞留するフロックは、分配部１８の底壁１８ｂに堆積する。フロックが不均一に堆積すると、分配部１８における被処理水の流れが不均一になる。そのため、θ方向において被処理水を均等に流入管１９に流入させることが困難になる。被処理水の流入管１９への流入が不均一になると、沈殿槽１の内部において局所的な被処理水の高速流が発生する。これにより、沈殿槽１の内部における被処理水の実質的滞留時間が減少する。その結果、沈殿槽１の沈降分離性能が低下する可能性がある。
【００２４】
本実施形態では、分配部１８の内周壁２０がスリット６０を有する。分配部１８に流入した被処理水は、スリット６０を通って少しずつ沈殿槽１に流出する。スリット６０は、内周壁２０の上端から分配部１８の底壁１８ｂまで形成される。被処理水に含まれる重いフロックは、被処理水の流れに押されてスリット６０から排出される。フロックの堆積が抑制されるので、分配部１８における被処理水の流れが均一になる。これに伴って、沈殿槽１の内部における被処理水の流れも均一になる。したがって、沈殿槽１の沈降分離性能の低下が抑制される。
【００２５】
図２に示されるように、スリット６０は、θ方向において複数の位置に形成される。スリット６０は、通常スリット６２と、供給口スリット６１と、合流部スリット６３と、を含む。
内周壁２０は、スリット６０によりθ方向に分断される。内周壁２０は、通常内周壁２２と、供給口内周壁２１と、合流部内周壁２３と、を含む。
【００２６】
供給口内周壁２１は、被処理水の供給口１７ａに対向して、供給口１７ａの−Ｒ方向に配置される。供給口内周壁２１のθ方向の幅は、通常内周壁２２より大きい。
供給口１７ａから分配部１８に流入した被処理水は、−Ｒ方向に流れて供給口内周壁２１に衝突する。供給口内周壁２１は、被処理水が供給口１７ａから流入管１９へ直接流入するのを抑制する。供給口内周壁２１は、被処理水をθ方向の両側に分流させる。＋θ方向および−θ方向の二手に分かれて分配部１８を流通した被処理水は、θ方向において供給口１７ａの反対側の合流部５１ｃで合流する。
【００２７】
合流部内周壁２３は、合流部５１ｃの−Ｒ方向に配置される。例えば、合流部内周壁２３のθ方向の幅は、通常内周壁２２と同等である。合流部内周壁２３のθ方向の幅は、通常内周壁２２より大きくてもよい。
通常内周壁２２は、θ方向において供給口内周壁２１と合流部内周壁２３との間に配置される。複数の通常内周壁２２が、θ方向に沿って等角度間隔で並んで配置される。
【００２８】
図３は、図２のＩＩＩ矢視図である。
供給口スリット６１は、供給口内周壁２１のθ方向の両側に形成される。供給口スリット６１のθ方向の幅は、通常スリット６２より小さい。
図４は、図２のＩＶ矢視図である。
合流部スリット６３は、合流部内周壁２３のθ方向の両側に形成される。合流部スリット６３のθ方向の幅は、通常スリット６２より小さい。
図５は、図２のＶ矢視図である。
通常スリット６２は、θ方向において供給口スリット６１と合流部スリット６３との間に形成される。複数の通常スリット６２が、θ方向に沿って等角度間隔で並んで形成される。例えば、通常スリット６２のθ方向の幅は、通常内周壁２２と同等である。
【００２９】
前述されたように、被処理水は、図２に示される供給口１７ａから分配部１８に流入する。被処理水は、スリット６０を通って分配部１８から流出する。
供給口スリット６１は供給口１７ａの近くに配置され、通常スリット６２は供給口１７ａから離れて配置される。前述されたように、供給口スリット６１のθ方向の幅は、通常スリット６２より小さい。そのため、供給口スリット６１からの被処理水の流出量は、通常スリット６２からの流出量と同等になる。
【００３０】
前述されたように、＋θ方向および−θ方向の二手に分かれて分配部１８を流通した被処理水は、合流部５１ｃで合流する。
合流部スリット６３は合流部５１ｃの近くに配置され、通常スリット６２は合流部５１ｃから離れて配置される。前述されたように、合流部スリット６３のθ方向の幅は、通常スリット６２より小さい。そのため、合流部スリット６３からの被処理水の流出量は、通常スリット６２からの流出量と同等になる。
【００３１】
このように、被処理水は、θ方向において均等に分配部１８から流出し、流入管１９に流入する。これにより、被処理水は、沈殿槽１の内部において、局所的に高速で流通することなく、均等に低速で流通する。したがって、沈殿槽１の沈降分離性能の低下が抑制される。
【００３２】
前述されたように、供給口１７ａから流入した被処理水は、供給口内周壁２１によりθ方向の両側に分流される。これに対して、供給口１７ａと内周壁２０との間に、被処理水をθ方向の両側に分流する分流板（バッフル板）が配置されてもよい。分流板により、被処理水は、θ方向に略均等に分配される。この場合に、内周壁２０は、θ方向に沿って等角度間隔で配置される複数の通常内周壁２２のみを有してもよい。また、スリット６０は、θ方向に沿って等角度間隔で配置される通常スリット６２のみを有してもよい。
【００３３】
内周壁２０は、スリット６０の位置および形状を変更可能である。
図６は、図２のＶＩ−ＶＩ線における側面断面図である。内周壁２０は、第１内周壁２６と、第２内周壁２７と、を有する。第１内周壁２６および第２内周壁２７は、塩化ビニル等の樹脂材料や、アルミニウム等の金属材料などにより形成される。第１内周壁２６および第２内周壁２７は、Ｒ方向に並んで配置される。第１内周壁２６は＋Ｒ方向に配置され、第２内周壁２７は−Ｒ方向に配置される。
【００３４】
分配部１８の底壁１８ｂの−Ｒ方向の端部に、溝部１８ｇが形成される。溝部１８ｇは、θ方向の全周にわたって形成される。溝部１８ｇは、第１内周壁２６および第２内周壁２７の下端部を収容して、第１内周壁２６および第２内周壁２７を支持する。
【００３５】
図７は、図６のＶＩＩ矢視図である。第１内周壁２６は、第１スリット（第１内周壁開口）６６を有する。第２内周壁２７は、第２スリット（第２内周壁開口）６７を有する。第１スリット６６および第２スリット６７は、θ方向において同等の大きさ（角度）に形成される。スリット６０は、第１スリット６６および第２スリット６７がＲ方向に重なって形成される。
【００３６】
第１内周壁２６は、第１スリット６６によりθ方向に分断される。第２内周壁２７は、第２スリット６７によりθ方向に分断される。分断された複数の第１内周壁２６および第２内周壁２７は、相互に独立して、溝部１８ｇに沿ってθ方向に移動可能である。第１内周壁２６および第２内周壁２７は、θ方向において同等の大きさ（角度）に形成される。内周壁２０は、第１内周壁２６および第２内周壁２７の少なくとも一方により形成される。
【００３７】
第１内周壁２６および第２内周壁２７のθ方向の全体がＲ方向に重なるとき、内周壁２０のθ方向の幅Ｍ１は最小になる。このとき、隣り合う内周壁２０の間に配置されるスリット６０のθ方向の幅Ｎ１は最大になる。これに対して、第１内周壁２６および第２内周壁２７のθ方向の一部のみがＲ方向に重なるとき、内周壁２０のθ方向の幅Ｍ２は大きくなる。このとき、隣り合う内周壁２０の間に配置されるスリット６０のθ方向の幅Ｎ２は小さくなる。第１内周壁２６および第２内周壁２７のうち少なくとも一方をθ方向に移動させることにより、スリット６０の位置および形状（大きさ）を変更することができる。スリット６０の位置および形状は、被処理水の性質に応じて調整される。これにより、θ方向において均等に、被処理水を分配部１８から流入管１９に流入させることができる。
【００３８】
前述されたように、内周壁２０は、第１内周壁２６および第２内周壁２７の２個の内周壁により形成される。これに対して、内周壁２０は、Ｒ方向に並んで配置される３個以上の内周壁により形成されてもよい。
【００３９】
以上に詳述されたように、実施形態の流入部ユニット１２は、流入管１９と、分配部１８と、を有する。流入管１９は、沈殿槽１の掻寄板４４を回転させる回転シャフト４１の周囲に配置される。分配部１８は、流入管１９の上方に配置され、流入管１９の内側に流入する被処理水を収容可能である。分配部１８は、Ｒ方向の内側に内周壁２０を有する内周壁２０は、少なくとも一部が沈殿槽１の溢流堰１３の上端１３ｔより下方に配置されるスリット６０を有する。
【００４０】
スリット６０の少なくとも一部が、沈殿槽１における被処理水の水位ＷＬより下方に配置される。分配部１８に流入した被処理水は、スリット６０を通って沈殿槽１に流出する。被処理水に含まれる重いフロックは、被処理水の流れに押されてスリット６０から排出される。フロックの堆積が抑制されるので、分配部１８における被処理水の流れが均一になる。これに伴って、沈殿槽１の内部における被処理水の流れも均一になる。したがって、沈殿槽１の沈降分離性能の低下が抑制される。
【００４１】
スリット６０は、内周壁２０の上端から分配部１８の底壁１８ｂまで形成される。
スリット６０は、θ方向において複数の位置に形成される。
これにより、重いフロックがスリット６０から排出され、分配部１８の底壁１８ｂへのフロックの堆積が抑制される。
【００４２】
流入部ユニット１２は、分配部１８への被処理水の供給口１７ａを形成する被処理水供給部１７を有する。内周壁２０は、供給口１７ａに対向して配置される供給口内周壁２１を含む。供給口内周壁２１は、θ方向における幅が、他の内周壁２０より大きい。
供給口１７ａから分配部１８に流入した被処理水は、供給口内周壁２１に衝突する。供給口内周壁２１は、被処理水が供給口１７ａから流入管１９へ直接流入するのを抑制する。これにより、被処理水は、沈殿槽１の内部において、局所的に高速で流通することなく、均等に低速で流通する。
【００４３】
スリット６０は、供給口内周壁２１のθ方向の両側に配置される供給口スリット６１を含む。供給口スリット６１は、θ方向における幅が、他のスリット６０より小さい。
供給口スリット６１は供給口１７ａの近くに配置され、他のスリット６０は供給口１７ａから離れて配置される。そのため、供給口スリット６１から流入管１９への被処理水の流入量は、他のスリット６０からの流入量と同等になる。これにより、被処理水は、沈殿槽１の内部において、局所的に高速で流通することなく、均等に低速で流通する。したがって、沈殿槽１の沈降分離性能の低下が抑制される。
【００４４】
内周壁２０は、スリット６０の位置および形状のうち少なくとも一つを変更可能である。
この構成によれば、被処理水の性質に応じて、スリット６０の位置および形状を調整することができる。これにより、θ方向において均等に、被処理水を分配部１８から流入管１９に流入させることができる。したがって、分配部１８の底壁１８ｂへのフロックの堆積が抑制される。
【００４５】
内周壁２０は、Ｒ方向に並んで配置され、相互に独立してθ方向に移動可能な第１内周壁２６および第２内周壁２７を有する。スリット６０は、第１内周壁２６に形成される第１スリット６６および第２内周壁２７に形成される第２スリット６７により形成される。
これにより、簡単な構成でスリット６０の位置および形状を変更することができる。
【００４６】
図８は、第１の実施形態の第１変形例の流入部ユニットの説明図である。図８は、図３から図５と同様の矢視図である。第１変形例のスリット６８は、内周壁２０の−Ｚ方向（下半部）のみに形成される。スリット６８の＋Ｚ方向は、内周壁２０により閉塞されている。
重いフロックは、分配部１８の被処理水の下−Ｚ方向に含まれる。重いフロックは、内周壁２０の−Ｚ方向に配置されたスリット６８から排出される。
【００４７】
前述されたように、沈殿槽１の上流側の凝集槽でフロックが生成される。被処理水は、フロックを含んだ状態で沈殿槽１に流入する。被処理水が分配部１８に供給されるとき、フロックが壊れて微細フロックに分解される場合がある。微細フロックは、沈殿槽１の内部で被処理水から分離して沈降しにくい。そのため、微細フロックが流入管１９に流入すると、沈殿槽１の沈降分離性能が低下する可能性がある。
【００４８】
微細フロックは、分配部１８の被処理水の＋Ｚ方向に含まれる。第１変形例のスリット６８は、内周壁２０の−Ｚ方向のみに形成される。内周壁２０の＋Ｚ方向は閉塞されているので、微細フロックの分配部１８からの流出が抑制される。分配部１８における微細フロックの滞留時間が長くなると、微細フロックの会合頻度が多くなる。これにより、分配部１８で微細フロックが凝集して、フロックの再生成が促進される。再生成したフロックは、分配部１８の−Ｚ方向に移動して、スリット６８から排出される。したがって、沈殿槽１の沈降分離性能の低下が抑制される。
【００４９】
図９は、第１の実施形態の第２変形例の流入部ユニットの説明図である。図９は、図３から図５と同様の矢視図である。第２変形例のスリット６９は、内周壁２０の＋Ｚ方向（上半部）のみに形成される。この場合でも、スリット６９の少なくとも一部（下端部）が、沈殿槽１の溢流堰１３の上端１３ｔより下方に配置される。
スリット６９の−Ｚ方向は内周壁２０により閉塞されるので、フロックの流出が抑制される。通常スリット６２の一部をスリット６９で構成することにより、フロックの流出速度を抑制することができる。
【００５０】
（第２の実施形態）
図１０は、第２の実施形態の流入部ユニットの平面断面図である。図１１は、図１０のＸＩ−ＸＩ線における側面断面図である。第２の実施形態の流入部ユニット２１２は、中間壁２２０を有する点で、第１の実施形態とは異なる。第１の実施形態と同様である点についての第２の実施形態の説明は省略される。
【００５１】
流入部ユニット２１２の分配部１８は、外周壁１８ａと、内周壁１２０と、中間壁２２０と、底壁１８ｂと、を有する。外周壁１８ａおよび底壁１８ｂは、第１の実施形態と同様に形成される。
中間壁２２０は、Ｒ方向において外周壁１８ａと内周壁２０との間に配置される。中間壁２２０は円筒状に形成される。被処理水供給部１７は、Ｒ方向において外周壁１８ａと中間壁２２０との間に被処理水の供給口１７ａを形成する。供給口１７ａは、外周壁１８ａの内側面上に形成される。
【００５２】
中間壁２２０は、Ｒ方向において分配部１８を第１流路５１と第２流路５２とに仕切る。第１流路５１は、Ｒ方向の外側であって、外周壁１８ａと中間壁２２０との間に形成される。第２流路５２は、Ｒ方向の内側であって、中間壁２２０と内周壁１２０との間に形成される。第１流路５１および第２流路５２は、Ｚ方向からみて円環状に形成される。例えば、第１流路５１および第２流路５２のＲ方向の幅は同等である。
【００５３】
中間壁２２０は、スリット（中間壁開口）２６０を有する。スリット２６０は、中間壁２２０をＲ方向に貫通する。スリット２６０の少なくとも一部（下端部）は、溢流堰１３の上端１３ｔよりも下方に配置される。スリット２６０は、Ｚ方向において中間壁２２０の上端から分配部１８の底壁１８ｂまで形成される。中間壁２２０は、第１の実施形態の内周壁２０と同様に、スリット２６０の位置および形状のうち少なくとも一つを変更可能である。
【００５４】
スリット２６０は、θ方向において複数の位置に形成される。スリット２６０は、第１の実施形態のスリット６０と同様に、通常スリット２６２と、供給口スリット２６１と、合流部スリット２６３と、を含む。
中間壁２２０は、スリット２６０によりθ方向に分断される。中間壁２２０は、第１の実施形態の内周壁２０と同様に、通常中間壁２２２と、供給口中間壁２２１と、合流部中間壁２２３と、を含む。
【００５５】
供給口中間壁２２１は、被処理水の供給口１７ａの−Ｒ方向に配置される。供給口中間壁２２１のθ方向の幅は、通常中間壁２２２より大きい。
合流部中間壁２２３は、合流部５１ｃの−Ｒ方向に配置される。例えば、合流部中間壁２２３のθ方向の幅は、通常中間壁２２２と同等である。
通常中間壁２２２は、θ方向において供給口中間壁２２１と合流部中間壁２２３との間に配置される。複数の通常中間壁２２２が、θ方向に沿って等角度間隔で並んで配置される。
【００５６】
供給口スリット２６１は、供給口中間壁２２１のθ方向の両側に形成される。供給口スリット２６１のθ方向の幅は、通常スリット２６２より小さい。
合流部スリット２６３は、合流部中間壁２２３のθ方向の両側に形成される。合流部スリット２６３のθ方向の幅は、通常スリット２６２より小さい。
通常スリット２６２は、θ方向において供給口スリット２６１と合流部スリット２６３との間に形成される。複数の通常スリット２６２が、θ方向に沿って等角度間隔で並んで形成される。例えば、通常スリット２６２のθ方向の幅は、通常中間壁２２２と同等である。
【００５７】
供給口１７ａから分配部１８に流入した被処理水は、第１流路５１を−Ｒ方向に流れて、供給口中間壁２２１に衝突する。供給口中間壁２２１は、被処理水が供給口１７ａから第２流路５２に直接流入するのを抑制する。供給口中間壁２２１は、被処理水をθ方向の両側に分流させる。＋θ方向および−θ方向の二手に分かれて第１流路５１を流通した被処理水は、θ方向において供給口１７ａの反対側の合流部５１ｃで合流する。被処理水は、中間壁２２０に形成されたスリット２６０を通って、第２流路５２に流入する。
【００５８】
供給口スリット２６１は供給口１７ａの近くに配置され、通常スリット２６２は供給口１７ａから離れて配置される。前述されたように、供給口スリット２６１のθ方向の幅は、通常スリット２６２より小さい。そのため、供給口スリット２６１から第２流路５２への被処理水の流入量は、通常スリット２６２からの流入量と同等になる。
合流部スリット２６３は合流部５１ｃの近くに配置され、通常スリット２６２は合流部５１ｃから離れて配置される。前述されたように、合流部スリット２６３のθ方向の幅は、通常スリット２６２より小さい。そのため、合流部スリット２６３から第２流路５２への被処理水の流入量は、通常スリット２６２からの流入量と同等になる。
【００５９】
このように、被処理水は、θ方向において均等に第１流路５１から第２流路５２に流入する。これにより、非処理水は、θ方向において均等に第２流路５２から流入管１９に流入する。したがって、沈殿槽１の沈降分離性能の低下が抑制される。
【００６０】
内周壁１２０は、スリット１６０を有する。スリット１６０は、第１の実施形態のスリット６０とは異なり、通常スリット１６２のみを有する。複数の通常スリット１６２が、θ方向に沿って等角度間隔で配置される。
内周壁１２０は、スリット１６０によりθ方向に分断される。内周壁１２０は、第１の実施形態の内周壁２０とは異なり、通常内周壁１２２のみを有する。複数の通常内周壁１２２が、θ方向に沿って等角度間隔で配置される。
【００６１】
第２流路５２に流入した被処理水は、内周壁１２０に形成されたスリット１６０を通って分配部１８から排出され、流入管１９に流入する。
前述されたように、被処理水は、θ方向において均等に第１流路５１から第２流路５２に流入する。そのため、スリット１６０が通常スリット１６２のみを有する場合でも、非処理水は、θ方向において均等に第２流路５２から流入管１９に流入する。したがって、沈殿槽１の沈降分離性能の低下が抑制される。
【００６２】
内周壁１２０は、第１の実施形態の内周壁２０と同様に、スリット１６０の位置および形状のうち少なくとも一つを変更可能に形成されてもよい。スリット１６０の位置および形状は、被処理水の性質や流通状況に応じて調整される。これにより、θ方向においてより均等に、被処理水を流入管１９に流入させることができる。
【００６３】
分配部１８に流入した被処理水は、第１流路５１および第２流路５２を順に流れる。長い流路を流れることで、微細フロックの会合頻度が多くなる。特に、合流部５１ｃで被処理水が合流するとき、微細フロックの会合が顕著になる。これにより、微細フロックが凝集して、フロックの再生成が促進される。再生成したフロックは、沈殿槽１の内部で被処理水から分離して沈降する。したがって、既処理水の水質低下が抑制される。
【００６４】
中間壁２２０は、Ｒ方向において分配部１８を第１流路５１と第２流路５２とに仕切る。これにより、第１流路５１および第２流路５２の流路断面積が小さくなる。第１流路５１および第２流路５２を流れる被処理水の流速は、フロックの堆積が発生しない程度に早くなる。フロックは、分配部１８に堆積することなく、スリット２６０およびスリット１６０を通過して、流入管１９に流入する。フロックの堆積が抑制されるので、分配部１８における被処理水の流れが均一になる。被処理水は、θ方向において均等に流入管１９に流入する。したがって、沈殿槽１の沈降分離性能の低下が抑制される。
【００６５】
第２の実施形態では、分配部１８の外周壁１８ａと内周壁１２０との間に、１個の中間壁２２０が配置される。これに対して、外周壁１８ａと内周壁１２０との間に、２個以上の中間壁が配置されてもよい。
【００６６】
（第３の実施形態）
図１２は、第３の実施形態の沈殿槽の側面断面図である。図１３は、図１２のＸＩＩＩ部の拡大図である。図１３は、図１４のＸＩＩＩ−ＸＩＩＩ線における側面断面図である。第３の実施形態の流入部ユニット３１２は、分配部１８の内周壁２０が流入管１９の−Ｒ方向に配置されるとともに、分配部１８が底壁開口９０を有する点で、第１の実施形態とは異なる。第１の実施形態と同様である点についての第３の実施形態の説明は省略される。
【００６７】
図１２に示されるように、分配部１８の内周壁２０は、流入管１９の−Ｒ方向に配置される。外周壁１８ａは、流入管１９の＋Ｒ方向に配置される。底壁１８ｂは、流入管１９をＲ方向に跨いで、流入管１９の−Ｒ方向および＋Ｒ方向の両側に配置される。
図１３に示されるように、分配部１８の底壁１８ｂは、底壁開口９０を有する。底壁開口９０は、流入管１９の−Ｒ方向に配置された底壁１８ｂに形成される。底壁開口９０は、流入管１９の内側に開口する。
【００６８】
図１４は、第３の実施形態の流入部ユニットの平面断面図である。図１４は、図１のＩＩ−ＩＩ線に相当する部分における断面図である。底壁開口９０は、Ｚ方向から見て円形状に形成される。底壁開口９０は、円形以外の形状に形成されてもよい。底壁開口９０は、Ｒ方向において内周壁２０と流入管１９の中間位置に形成される。底壁開口９０は、Ｒ方向において内周壁２０の近くに形成されてもよいし、流入管１９の近くに形成されてもよい。底壁開口９０は、Ｒ方向において複数の位置に形成されてもよい。
【００６９】
底壁開口９０は、θ方向において複数の位置に形成される。例えば、複数の底壁開口９０が、θ方向に沿って等角度間隔で配置される。底壁開口９０は、供給口１７ａの−Ｒ方向に配置される供給口底壁開口を有しない。底壁開口９０は、合流部５１ｃに配置される合流部底壁開口９３を有する。底壁開口９０は、合流部底壁開口９３を有しなくてもよい。
【００７０】
第１の実施形態と同様に、被処理水に含まれるフロックは、内周壁２０のスリット６０を通って流入管１９に流入する。これに加えて、第３の実施形態では、フロックが底壁開口９０を通って流入管１９に流入する。フロックは、スリット６０まで到達しなくても、底壁開口９０から流入管１９に流入する。これにより、底壁１８ｂへのフロックの堆積が抑制される。したがって、沈殿槽１の沈降分離性能の低下が抑制される。
【００７１】
底壁開口９０は、供給口１７ａの−Ｒ方向に配置される供給口底壁開口を有しない。供給口１７ａから分配部１８に流入した被処理水は、流入管１９に直接流入しない。分配部１８における被処理水の滞留時間が長くなるので、微細フロックの会合頻度が多くなり、フロックの再生成が促進される。したがって、既処理水の水質低下が抑制される。
【００７２】
底壁開口９０は、合流部５１ｃに配置される合流部底壁開口９３を有する。合流部５１ｃまで移動したフロックは、合流部底壁開口９３から流入管１９の内側に排出される。これにより、底壁１８ｂへのフロックの堆積が抑制される。したがって、沈殿槽１の沈降分離性能の低下が抑制される。
【００７３】
第１の実施形態における分配部１８の内周壁２０は、図１に示されるように、Ｒ方向において流入管１９と略同じ位置に配置される。このとき、外周壁１８ａは、流入管１９から＋Ｒ方向に離れて配置される。そのため、外周壁１８ａと溢流堰１３との距離Ａは小さくなる。
一方、第３の実施形態における分配部１８の内周壁２０は、図１２に示されるように、流入管１９より−Ｒ方向に配置される。このとき、外周壁１８ａは、流入管１９の＋Ｒ方向の近くに配置される。そのため、外周壁１８ａと溢流堰１３との距離Ｂは大きくなる。これにより、外周壁１８ａと溢流堰１３との間における被処理水の流速が小さくなる。沈殿槽１の内部における被処理水の実質的滞留時間が増加する。したがって、沈殿槽１の沈降分離性能の低下が抑制される。
【００７４】
図１５は、第３の実施形態の第１変形例の沈殿槽の側面断面図である。第１変形例の流入部ユニット３１２ａでは、分配部１８の内周壁２０が、回転シャフト４１の近くに配置される。このとき、外周壁１８ａは、Ｒ方向において流入管１９と略同じ位置に配置される。そのため、外周壁１８ａと溢流堰１３との距離Ｃは大きくなる。これにより、外周壁１８ａと溢流堰１３との間における被処理水の流速が小さくなる。沈殿槽１の内部における被処理水の実質的滞留時間が増加する。したがって、沈殿槽１の沈降分離性能の低下が抑制される。
【００７５】
図１６は、第３の実施形態の第２変形例の流入部ユニットの平面断面図である。図１６は、図１のＩＩ−ＩＩ線に相当する部分における断面図である。第２変形例の流入部ユニット３１２ｂでは、底壁開口９０が楕円形状に形成される。底壁開口９０は、Ｒ方向を短軸方向とし、θ方向を長軸方向とする楕円形状に形成される。底壁開口９０は、被処理水の流通方向であるθ方向を長軸方向とする。これにより、被処理水に含まれるフロックは、底壁開口９０を通って流入管１９に排出され易い。
【００７６】
第２変形例では、底壁１８ｂが、底壁開口９０の位置および形状を変更可能である。分配部１８の底壁１８ｂは、第１底壁８６と、第２底壁８７と、を有する。第１底壁８６および第２底壁８７は、Ｚ方向に並んで配置される。第１底壁８６は＋Ｚ方向に配置され、第２底壁８７は−Ｚ方向に配置される。
【００７７】
第１底壁８６は、θ方向の全周にわたって円環状に形成される。第１底壁８６は、外周壁１８ａおよび内周壁２０に対して固定される。
第２底壁８７は、θ方向の一部のみに円弧状に形成される。第２底壁８７は、第１底壁８６に対してθ方向に移動可能に形成される。第２底壁８７は、複数の底壁開口９０の形成位置にそれぞれ配置される。複数の第２底壁８７は、相互に独立してθ方向に移動可能である。
【００７８】
第１底壁８６は、第１底壁開口９６を有する。第２底壁８７は、第２底壁開口９７を有する。第１底壁開口９６および第２底壁開口９７は、Ｚ方向から見て同等の形状に形成される。底壁開口９０は、第１底壁開口９６および第２底壁開口９７がＺ方向に重なって形成される。
【００７９】
図１６に示されるように、第１底壁開口９６および第２底壁開口９７の全体がＺ方向に重なるとき、底壁開口９０の開口面積は最大になる。
図１７は、第３の実施形態の第２変形例の流入部ユニットの動作説明図である。第１底壁８６に対して第２底壁８７をθ方向に移動させると、第１底壁開口９６および第２底壁開口９７の一部のみがＺ方向に重なる。このとき、底壁開口９０の開口面積は小さくなる。このように、第１底壁８６に対して第２底壁８７をθ方向に移動させることにより、底壁開口９０の形状（大きさ）を変更することができる。
【００８０】
以上のように、底壁１８ｂは、底壁開口９０の位置および形状を変更可能である。
これにより、被処理水の性質に応じて、底壁開口９０の位置または形状を調整することができる。これにより、θ方向において均等に、被処理水を流入管１９に流入させることができる。また、分配部１８から流入管１９への被処理水およびフロックの流入速度を調整することができる。
【００８１】
図１８は、第３の実施形態の第３変形例の流入部ユニットの平面断面図である。図１８は、図１のＩＩ−ＩＩ線に相当する部分における断面図である。第３変形例の流入部ユニット３１２ｃは、分配部１８が中間壁２２０を有する点で、第１変形例と異なる。中間壁２２０の構造は、第２の実施形態と同様である。
【００８２】
供給口１７ａから分配部１８に流入した被処理水は、第１流路５１を−Ｒ方向に流れて、供給口中間壁２２１に衝突する。供給口中間壁２２１は、被処理水が供給口１７ａから第２流路５２に直接流入するのを抑制する。供給口中間壁２２１は、被処理水をθ方向の両側に分流させる。＋θ方向および−θ方向の二手に分かれて第１流路５１を流通した被処理水は、θ方向において供給口１７ａの反対側の合流部５１ｃで合流する。被処理水は、中間壁２２０に形成されたスリット２６０を通って、第２流路５２に流入する。
【００８３】
第２流路５２に流入した被処理水は、内周壁１２０に形成されたスリット１６０および底壁１８ｂに形成された底壁開口９０を通って、流入管１９に流入する。被処理水に含まれるフロックは、内周壁２０のスリット６０および底壁１８ｂに形成された底壁開口９０を通って、分配部１８から排出される。これにより、底壁１８ｂへのフロックの堆積が抑制される。
【００８４】
被処理水は、第１流路５１および第２流路５２を順に流れる。長い流路を流れることで、微細フロックの会合頻度が多くなる。これにより、微細フロックが凝集して、フロックの再生成が促進される。再生成したフロックは、沈殿槽１の内部で被処理水から分離して沈降する。したがって、既処理水の水質低下が抑制される。
【００８５】
以上説明した少なくともひとつの実施形態によれば、分配部１８の内周壁２０がスリット６０を持つ。これにより、分配部１８の底壁１８ｂへのフロックの堆積が抑制されるので、沈殿槽１の沈降分離性能の低下を抑制することができる。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８７】
Ｒ…径方向、θ…周方向、１…沈殿槽、１１…槽体、１２…流入部ユニット、１３…溢流堰、１３ｔ…上端、１７…被処理水供給部、１７ａ…供給口、１８…分配部（収容部）、１８ａ…外周壁、１８ｂ…底壁、１９…流入管、２０…内周壁、２１…供給口内周壁、２６…第１内周壁、２７…第２内周壁、４１…回転シャフト、４４…掻寄板、６０…スリット（内周壁開口）、６１…供給口スリット（供給口内周壁開口）、６６…第１スリット（第１内周壁開口）、６７…第２スリット（第２内周壁開口）、９０…底壁開口、２２０…中間壁、２６０…スリット（中間壁開口）。
【図１】
2020182906.tif 000003
【図２】
2020182906.tif 000004
【図３】
2020182906.tif 000005
【図４】
2020182906.tif 000006
【図５】
2020182906.tif 000007
【図６】
2020182906.tif 000008
【図７】
2020182906.tif 000009
【図８】
2020182906.tif 000010
【図９】
2020182906.tif 000011
【図１０】
2020182906.tif 000012
【図１１】
2020182906.tif 000013
【図１２】
2020182906.tif 000014
【図１３】
2020182906.tif 000015
【図１４】
2020182906.tif 000016
【図１５】
2020182906.tif 000017
【図１６】
2020182906.tif 000018
【図１７】
2020182906.tif 000019
【図１８】
2020182906.tif 000020